(57)【要約】【課題】予備のトイレットペーパーロールを、室内スペースを狭めることなく複数個良好に収納できること。【解決手段】複数個のトイレットペーパーロール１６を収納可能なロール収納ケース１７と、このロール収納ケース内に複数本設置されて、上記各トイレットペーパーロールをそれぞれ支承するロール支承ロッド１８と、を有するトイレットペーパーロール収納ラック１５であって、上記ロール収納ケースがトイレの壁１３内に埋設可能に構成されたものである。【選択図】　　　図２
2004081677.tif 000002
【特許請求の範囲】
【請求項１】
複数個のトイレットペーパーロールを収納可能なロール収納ケースと、このロール収納ケース内に複数設置されて、上記各トイレットペーパーロールをそれぞれ支承するロール支承部と、を有するトイレットペーパーロール収納装置であって、
上記ロール収納ケースが建物の壁内に埋設可能に構成されたことを特徴とするトイレットペーパーロール収納装置。
【請求項２】
上記ロール収納ケースは、壁面に略面一状態で、当該壁内に埋設可能に構成されたことを特徴とする請求項１に記載のトイレットペーパーロール収納装置。
【請求項３】
上記ロール収納ケースは、トイレの壁に埋設可能に構成されたことを特徴とする請求項１または２に記載のトイレットペーパーロール収納装置。
【請求項４】
上記ロール支承部は、ロール収納ケースに一体成形されたことを特徴とする請求項１乃至３のいずれかに記載のトイレットペーパーロール収納装置。
【発明の詳細な説明】
【０００１】
【発明の属する技術分野】
本発明は、予備のトイレットペーパーロールを収納して保管するトイレットペーパーロール収納装置に関する。
【０００２】
【従来の技術】
従来のトイレでは、トイレットペーパーロールホルダに支承されたトイレットペーパーロールがなくなった場合の予備として、トイレの棚や壁の上方に予備のトイレットペーパーロールを置いておいたり、または、トイレの室内に設置されたトイレットペーパーロール収納装置内に、予備のトイレットペーパーロールを複数個収納して保管していた。
【０００３】
【発明が解決しようとする課題】
ところが、予備のトイレットペーパーロールを棚や壁上方に置いておく場合には、そのトイレットペーパーロールを安定して保管しておくことができない恐れがある。また、予備のトイレットペーパーロールを、トイレ室内に設置されたトイレットペーパーロール収納装置に収納させる場合には、このトイレットペーパーロール収納装置が、トイレの室内スペースを狭めてしまうことが多い。
本発明の目的は、上述の事情を考慮してなされたものであり、予備のトイレットペーパーロールを、室内スペースを狭めることなく複数個良好に収納できるトイレットペーパーロール収納装置を提供することにある。
【０００４】
【課題を解決するための手段】
請求項１に記載の発明は、複数個のトイレットペーパーロールを収納可能なロール収納ケースと、このロール収納ケース内に複数設置されて、上記各トイレットペーパーロールをそれぞれ支承するロール支承部と、を有するトイレットペーパーロール収納装置であって、上記ロール収納ケースが建物の壁内に埋設可能に構成されたことを特徴とするものである。
【０００５】
請求項２に記載の発明は、請求項１に記載の発明において、上記ロール収納ケースが、壁面に略面一状態で、当該壁内に埋設可能に構成されたことを特徴とするものである。
【０００６】
請求項３に記載の発明は、請求項１または２に記載の発明において、上記ロール収納ケースが、トイレの壁に埋設可能に構成されたことを特徴とするものである。
【０００７】
請求項４に記載の発明は、請求項１乃至３のいずれかに記載の発明において、上記ロール支承部が、ロール収納ケースに一体成形されたことを特徴とするものである。
【０００８】
また、請求項１乃至４のいずれかに記載の発明において、上記ロール収納ケースは、トイレットペーパーロールを複数列収納可能とし、各列の上記トイレットペーパーロールを保持可能とするロール保持部を備えたことを特徴とするものでもよい。
【０００９】
【発明の実施の形態】
以下、本発明の実施の形態を、図面に基づき説明する。
［Ａ］　第１の実施の形態（図１〜図５）
図１は、本発明に係るトイレットペーパーロール収納装置の第１の実施の形態が適用されたトイレットペーパーロール収納ラックを設置したトイレを、内側から目視して示す斜視図である。図２は、図１のトイレットペーパーロール収納ラックを示す斜視図である。
【００１０】
図１に示すように、建物の居室の一つであるトイレ１０には、便器１１および水タンク１２が設置されるとともに、トイレ１０を構成する一つの壁１３にトイレットペーパーロールホルダ１４が取り付けられている。更に、上記壁１３にはトイレットペーパーロールホルダ１４に隣接して、トイレットペーパーロール収納装置としてのトイレットペーパーロール収納ラック１５が設置されている。
このトイレットペーパーロール収納ラック１５は、予備のトイレットペーパーロール１６を複数個収納して保管しておくものであり、図２及び図３に示すようにロール収納ケース１７、及びロール支承部としてのロール支承ロッド１８を備えてなる。
【００１１】
このロール収納ケース１７は前面を開口状態とするボックス形状に形成され、複数個（例えば９個）のトイレットペーパーロール１６を、長手方向に沿って一列に収納可能とする。このロール収納ケース１７には、長手方向の適宜位置、例えばトイレットペーパーロール１６の３個分相当位置に補強板１９が配置されて、ロール収納ケース１７が補強されている。
【００１２】
上記ロール支承ロッド１８は、図４に示すように、トイレットペーパーロール１６における中空形状の円筒芯２０が差し込まれて、このトイレットペーパーロール１６を遊嵌状態で支承するものである。このロール支承ロッド１８は、ロール収納ケース１７の長手方向において、トイレットペーパーロール１６の直径相当分の間隔を隔てて複数本配置され、それぞれがロール収納ケース１７の底面２１から立設される。つまり、このロール支承ロッド１８は、取付ビス２２を用いてロール収納ケース１７の底面２１に固着されて、このロール収納ケース１７に立設される。
【００１３】
また、ロール収納ケース１７の深さ寸法Ｈは、図４に示すように、トイレットペーパーロール１６の幅寸法Ｗと略等しいか、またはこの幅寸法Ｗよりも若干大きな値に設定される。そして、このロール収納ケース１７は、図３に示すように、前記トイレ１０の壁１３内に埋設可能とされる。ここで、壁１３における厚さ寸法Ｘはトイレットペーパーロール１６の幅寸法Ｗと略等しいか、または若干大きいことから、この壁１３に埋設されたロール収納ケース１７は、この埋設状態で、壁１３の壁面と略面一か、または若干突出して設けられる。この実施の形態では、ロール収納ケース１７の前方周縁に形成された化粧フランジ部２３のみが壁１３の壁面（後述の表側石膏ボード２４表面）から若干突設される。
【００１４】
ロール収納ケース１７、つまりトイレットペーパーロール収納ラック１５をトイレ１０の壁１３に埋設させる際には、ロール収納ケース１７における化粧フランジ部２３を除いた投影面積相当分だけ、例えば型紙等を用いて、壁１３の表側石膏ボード２４を切り抜く。次に、この表側石膏ボード２４の切抜き穴２６にトイレットペーパーロール収納ラック１５におけるロール収納ケース１７を挿入し、このロール収納ケース１７の底面２１を壁１３の裏側石膏ボード２５に接着剤等を用いて接着し、更に、ロール収納ケース１７の化粧フランジ部２３の周縁を、同様に接着剤等を用いて表側石膏ボード２４に接着する。このようにして、トイレットペーパーロール収納ラック１５のロール収納ケース１７における長手方向をトイレ１０の壁１３の鉛直方向に一致させて、当該トイレットペーパーロール収納ラック１５を上記壁１３に設置する。
【００１５】
そして、この壁１３に設置されたトイレットペーパーロール収納ラック１５内に複数個の予備のトイレットペーパーロール１６を収納し保管する。この際、トイレットペーパーロール１６の円筒芯２０をロール支承ロッド１８に差し込むことによって、トイレットペーパーロール１６がトイレットペーパーロール収納ラック１５のロール収納ケース１７内に位置決めされて収納される。
【００１６】
上述のように構成されたことから、上記実施の形態によれば、次の効果を奏する。
複数個のトイレットペーパーロール１６を収納可能なトイレットペーパーロール収納ラック１５のロール収納ケース１７がトイレ１０の壁１３内に埋設可能に構成されたことから、壁１３の室内スペースを狭めることなくトイレットペーパーロール１６を収納できる。しかも、複数個が袋詰めで販売されているトイレットペーパーロール１６をトイレットペーパーロール収納ラック１５内に一度に多数個収納できる。
【００１７】
尚、図５に示すように、ロール収納ケース１７及びロール支承ロッド１８をＦＲＰ（Ｆｉｂｅｒｇｌａｓｓ　Ｒｅｉｎｆｏｒｃｅｄ　Ｐｌａｓｔｉｃ）素材により形成して、ロール支承ロッド１８をロール収納ケース１７と一体成形してもよい。
【００１８】
［Ｂ］　第２の実施の形態（図６）
図６は、本発明に係るトイレットペーパーロール収納装置の第２の実施の形態が適用されたトイレットペーパーロール収納ラックを示し、（Ａ）が正面図、（Ｂ）が背面図、（Ｃ）が底面図、（Ｄ）が図６（Ａ）のＶＩ−ＶＩ線に沿う断面図である。この第２の実施の形態において、前記第１の実施の形態と同様な部分は、同一の符号を付すことにより説明を省略する。
【００１９】
この第２の実施の形態のトイレットペーパーロール収納ラック３０は、複数個のトイレットペーパーロール１６を二列収納可能なものであり、ロール収納ケース３１、ロール支承部としてのロール支承ロッド３２、及びロール保持部としてのロール保持ロッド３３を有して構成される。
【００２０】
ロール収納ケース３１は、図６（Ａ）に示すように、矩形状の基板３４の左右両側から一対の側板３５が立設され、基板３４の上下両側から天板３６、底板３７がそれぞれ立設されて構成される。これらの基板３４、側板３５、天板３６及び底板３７に囲まれた空間内に、複数個（例えば１２個）のトイレットペーパーロール１６が二列状態で収納可能とされる。
【００２１】
上記ロール支承ロッド３２は、トイレットペーパーロール１６の円筒芯２０を差し込んで、このトイレットペーパーロール１６を遊嵌して支承するものである。このロール支承ロッド３２は、ロール収納ケース３１の基板３４の長手方向に沿って、当該基板３４に二列に配列される。このロール支承ロッド３２も、各列においてトイレットペーパーロール１６の直径相当分の間隔で複数本設置される。
【００２２】
上記ロール保持ロッド３３は、ロール支承ロッド３２の各列の中央位置に、トイレットペーパーロール１６の直径相当分の間隔で、基板３４の長手方向に沿って一列配置される。このロール支承ロッド３２は、各列のロール支承ロッド３２にトイレットペーパーロール１６が支承された際に、これらのトイレットペーパーロール１６の外周に当接して、トイレットペーパーロール１６が不必要に回転しないように、このトイレットペーパーロール１６を略静止状態で保持する。
上述のロール支承ロッド３２及びロール保持ロッド３３は、図６（Ｄ）に示すように、ロール収納ケース３１の基板３４に、図示しない取付ビス等を用いて固定される。
【００２３】
上記ロール収納ケース３１の側板３５は、外側の枠材３８と内側の内板３９とが固着されて形成され、枠材３８がトイレ１０の壁１３における表側石膏ボード２４に固着される。また、内板３９は、表側石膏ボード２４の切抜き穴２６に接し、この表側石膏ボード２４の表面と面一となる位置まで延在する。そして、この内板３９と表側石膏ボード２４との接合部に、この接合部を隠すように化粧板４０が固着される。
【００２４】
尚、上記基板３４、側板３５の内板３９、天板３６、及び底板３７は合板にて構成される。また、図６（Ｄ）中の符号４１は、壁１３の表側石膏ボード２４と裏側石膏ボード２５間に配置された壁芯材４１である。
【００２５】
このトイレットペーパーロール収納ラック３０においても、ロール収納ケース３１がトイレ１０の壁１３に埋設され、しかも、このロール収納ケース３１の内板３９が壁１３の表側石膏ボード２４と面一状態に配設されることから、壁１３の室内スペースを狭めることなく、トイレットペーパーロール１６を収納することができる。しかも、トイレットペーパーロール収納ラック３０内にトイレットペーパーロール１６が二列状態で収納できるので、より一層多数のトイレットペーパーロール１６を一度に収納できる。
【００２６】
［Ｃ］　第３の実施の形態（図７）
図７は、本発明に係るトイレットペーパーロール収納装置の第３の実施の形態が適用されたトイレットペーパーロール収納ラックを示し、（Ａ）が正面図、（Ｂ）が縦断面図である。この第３の実施の形態において、前記第１の実施の形態と同様な部分は、同一の符号を付すことにより説明を省略する。
【００２７】
この第３の実施の形態のトイレットペーパーロール収納ラック５０では、ロール支承部の形態が第１の実施の形態のトイレットペーパーロール収納ラック１５と異なる。つまり、ロール支承部としてのロール支承片５１は、ロール収納ケース１７における底面２１の両側に、そのロール収納ケース１７の長手方向に沿って一列ずつ、計二列配列される。このロール収納ケース１７の長手方向に沿う各列のロール支承片５１の間隔は、補強板１９により仕切られた範囲内において、トイレットペーパーロール１６の直径相当分の寸法に設定される。各列のロール支承片５１は、ロール収納ケース１７における底面２１の両側に対向配置されたものが対となり、これら一対のロール支承片５１若しくは補強板１９により、一個のトイレットペーパーロール１６の荷重が支持される。
【００２８】
従って、上下に隣接した一対のロール支承片５１間、または一対のロール支承片５１と補強板１９との間に一個のトイレットペーパーロール１６を配置することにより、トイレットペーパーロール収納ラック５０のロール収納ケース１７内に複数個の予備のトイレットペーパーロール１６が収納され保管される。また、このトイレットペーパーロール収納ラック５０においても、ロール収納ケース１７がトイレ１０の壁１３内に、化粧フランジ部２３を突出させた状態で埋設されるので、トイレ１０の室内スペースを狭めることがない。
【００２９】
以上、本発明を上記実施の形態に基づいて説明したが、本発明はこれに限定されるものではない。
例えば、図８に示すように、第１の実施の形態において、ロール支承ロッド１８の代わりに棚板５２を、取付ビス２２を用いてロール収納ケース１７の底面２１に固着してもよい。この棚板５２は、取付ビス２２の取付部分が膨出して厚肉構造に設けられることで、取付ビス２２による棚板５２の取り付けが確実化される。また、棚板５２の上述の厚肉構造に代えて、若しくはこの厚肉構造とともに、ロール収納ケース１７の両側面に、棚板５２の側辺部が嵌合するスリット５３または凹部が形成されてもよい。このようにしてロール収納ケース１７に取り付けられた棚板５２は、トイレットペーパーロール１６以外の物品が載置されることによって、トイレットペーパーロール収納ラック１５の一部または全部にトイレットペーパーロール１６以外の物品を収納可能とする。
【００３０】
また、上記各実施の形態のトイレットペーパーロール収納ラック１５、３０、５０では、それらの長手方向がトイレ１０の壁１３の鉛直方向に一致するものを述べたが、これらのトイレットペーパーロール収納ラック１５、３０、５０の長手方向を水平方向に一致させて、トイレ１０の壁１３に横向きに設置してもよい。
【００３１】
【発明の効果】
請求項１乃至５に記載の発明に係るトイレットペーパーロール収納装置によれば、予備のトイレットペーパーロールを、室内スペースを狭めることなく複数個良好に収納できる。
【図面の簡単な説明】
【図１】本発明に係るトイレットペーパーロール収納装置の第１の実施の形態が適用されたトイレットペーパーロール収納ラックを設置したトイレを、内側から目視して示す斜視図である。
【図２】図１のトイレットペーパーロール収納ラックを示す斜視図である。
【図３】図２のトイレットペーパーロール収納ラックであり、（Ａ）が正面図、（Ｂ）が縦断面図である。
【図４】図３（Ｂ）の一部を拡大して示す断面図である。
【図５】図２のトイレットペーパーロール収納ラックの第１変形例を示す縦断面図である。
【図６】本発明に係るトイレットペーパーロール収納装置の第２の実施の形態が適用されたトイレットペーパーロール収納ラックを示し、（Ａ）が正面図、（Ｂ）が背面図、（Ｃ）が底面図、（Ｄ）が図６（Ａ）のＶＩ−ＶＩ線に沿う断面図である。
【図７】本発明に係るトイレットペーパーロール収納装置の第３の実施の形態が適用されたトイレットペーパーロール収納ラックを示し、（Ａ）が正面図、（Ｂ）が縦断面図である。
【図８】図２のトイレットペーパーロール収納ラックの第２変形例を示し、（Ａ）が分解斜視図、（Ｂ）が図８（Ａ）の棚板を示す斜視図である。
【符号の説明】
１０　トイレ
１３　壁
１５　トイレットペーパーロール収納ラック
１６　トイレットペーパーロール
１７　ロール収納ケース
１８　ロール支承ロッド
２４　表側石膏ボード
３０　トイレットペーパーロール収納ラック
３１　ロール収納ケース
３２　ロール支承ロッド
３３　ロール保持ロッド
５０　トイレットペーパーロール収納ラック
５１　ロール支承片
【図１】
2004081677.tif 000003
【図２】
2004081677.tif 000004
【図３】
2004081677.tif 000005
【図４】
2004081677.tif 000006
【図５】
2004081677.tif 000007
【図６】
2004081677.tif 000008
【図７】
2004081677.tif 000009
【図８】
2004081677.tif 000010